(57)【要約】      （修正有）【課題】順送プレス装置により断面形状の歪みがないリング状部品を提供する。【解決手段】リング状部品はリングの断面形状は四角形であり、順送プレス用金型は、リング状部品の内径部を打ち抜く一対のパンチ部とダイス部で構成された内径部打ち抜き金型部と、リング状部品の外径部を打ち抜く一対のパンチ部とダイス部で構成された外径部打ち抜き金型部と、打ち抜かれたリング状部品を長尺の板材からはずす金型部で構成され、外径部打ち抜き金型部には、ダイス部に所定の力で該打ち抜かれたリング状部品を下方から押し上げるプッシュバック手段が設けられている。【選択図】図１
2005297009.tif 000002
【特許請求の範囲】
【請求項１】
順送プレス装置に長尺の板材が所定送りピッチで供給され、該所定送りピッチごとに該順送プレス装置に設置された一対のパンチ部とダイス部で構成された順送プレス用金型でプレス加工を行う該順送プレス装置によるリング状部品の製造方法において、該リング状部品はリングの断面形状は四角形であり、該順送プレス用金型は該リング状部品の内径部を打ち抜く一対のパンチ部とダイス部で構成された内径部打ち抜き金型部と、リング状部品の外径部を打ち抜く一対のパンチ部とダイス部で構成された外径部打ち抜き金型部と打ち抜かれたリング状部品を長尺の板材からはずす金型部で構成され、該外径部打ち抜き金型部には、該ダイス部に所定の力で該打ち抜かれたリング状部品を下方から押し上げるプッシュバック手段が設けられていることを特徴とする順送プレス装置によるリング状部品の製造方法。
【請求項２】
上記の所定の力で該打ち抜かれたリング状部品を押し上げるプッシュバック手段は、リング状部品外径部パンチと勘合するダイス開口部に設けられたノックアウトが上下にスライドし、該ノックアウトが常時該リング状部品外径部パンチの方向に向かって所定の力が加えられているものであり、かつ該ノックアウトの上面は該ダイス部の上面よりも上方にスライドしないようにするストッパー機構を有しているものであること特徴とする請求項１記載の順送プレス装置によるリング状部品の製造方法。
【請求項３】
上記リング状部品の断面面積は０．１ｍｍ2以下であり、該リング状部品は順送プレス装置に長尺の板材が所定送りピッチで供給され、該所定送りピッチごとに該順送プレス装置に設置された一対のパンチ部とダイス部で構成された順送プレス用金型で打ち抜かれたものであり、打ち抜かれた該リング状部品の断面形状の縦と横の公差が±０．０１ｍｍ以内であることを特徴とするリング状部品。
【発明の詳細な説明】
【技術分野】
【０００１】
本発明は順送プレス装置によるリング状部品の製造方法、およびリング状部品に関する。
【背景技術】
【０００２】
従来の順送プレスによるリング状部品（図３(ａ)に示すリング状部品）の製造方法を図４に示す。
同図（ａ）は、従来の、順送プレス装置により長尺の板材にリング状部品を打ち抜く様子を示した平面図である。
同図（ｂ）は、上記の同図（ａ）で用いた順送打ち抜き用金型のパンチ部１２の平面図を示したしたものである。
まず、リング状部品切り欠き用パンチ５-1により、長尺の板材２を打ち抜くとリング状部品切り欠き開口部５ができる。このとき同時にパイロットホール用パンチ４-1によりリング状切り欠き用パイロットホール３をあける。
次に、長尺の板材２が送りピッチP1分左から右方向に送られ、リング状切り欠き用パイロトホール３にリング状部品内径用ガイドピン４-2が勘合し、リング状部品内径用パンチ６-1により、長尺の板材２を打ち抜くとリング状部品内径開口部６ができる。
次に、長尺の板材２が送りピッチP1分左から右方向に送られ、リング状切り欠き用パイロトホール３にリング状部品外径用ガイドピン４-3が勘合し、リング状部品外径用パンチ７-1により、長尺の板材２を打ち抜くとリング状部品外径開口部８ができるとともに、図３（ａ）に示すリング状部品（切り欠きあるもの）１が長尺の板材２から打ち抜かれる。この動作が繰り返し行われる（例えば、非特許文献１参照。）。
【非特許文献１】編者型技術協会「型技術便覧」日刊工業新聞社、1989年9月29日初版１刷発行、第342頁〜第343頁
【発明の開示】
【発明が解決しようとする課題】
【０００３】
しかしながら、上記の従来の順送プレス装置により打ち抜かれたリング状部品は、図５（ｃ）に示すような断面形状が四角なものが得られず、図５（ｂ）に示すように断面形状が歪んだものとなる。特に、リング状部品の断面面積が０．１ｍｍ2以下において顕著となる問題点を有する。
【０００４】
そこで、順送プレス装置により断面形状の歪みがないリング状部品を提供することを目的とするものである。
【課題を解決するための手段】
【０００５】
本発明の順送プレス装置によるリング状部品の製造方法は、順送プレス装置に長尺の板材が所定送りピッチで供給され、該所定送りピッチごとに該順送プレス装置に設置された一対のパンチ部とダイス部で構成された順送プレス用金型でプレス加工を行う該順送プレス装置によるリング状部品の製造方法において、該リング状部品はリングの断面形状は四角形であり、該順送プレス用金型は該リング状部品の内径部を打ち抜く一対のパンチ部とダイス部で構成された内径部打ち抜き金型部と、リング状部品の外径部を打ち抜く一対のパンチ部とダイス部で構成された外径部打ち抜き金型部と打ち抜かれたリング状部品を長尺の板材からはずす金型部で構成され、該外径部打ち抜き金型部には、該ダイス部に所定の力で該長尺の板材を下方から押し上げるプッシュバック手段が設けられていることを特徴とする。
【０００６】
上記の構成によれば、上記の外径部打ち抜き金型部には、該ダイス部に所定の力で該長尺の板材を押し上げるプッシュバック手段を設けたので、断面形状が歪みのないリング状部品のプレスによる打ち抜きが可能となった。
【０００７】
更に、本発明の順送プレス装置によるリング状部品の製造方法は、上記の請求項１において、上記の所定の力で該長尺の板材を押し上げるプッシュバック手段はリング状部品外径部パンチと勘合するダイス開口部に設けられたノックアウトが上下にスライドし、該ノックアウトが常時該リング状部品外径部パンチの方向に向かって所定の力が加えられているものであり、かつ該ノックアウトの上面は該ダイス部の上面よりも上方にスライドしないようにするストッパー機構を有しているものであること特徴とする。
【０００８】
上記の構成によれば、上記のプッシュバック手段は、上記ダイス部には上下にスライドするノックアウトが設けられ、該ノックアウトは常時パンチ部方向に向かって所定の力が加えられており、かつ該ノックアウトの上面が該ダイス部の上面よりも上方にスライドしないようにするストッパー手段を有するようにしたので、プッシュバック手段は構造が簡単であり、かつ、打ち抜かれたリング状部品は長尺の板材に再セットされ、次工程の製品はずしが確実に容易に行うことができる。
【０００９】
更に、本発明のリング状部品は、上記リング状部品の断面面積は０．１ｍｍ2以下であり、該リング状部品は順送プレス装置に長尺の板材が所定送りピッチで供給され、該所定送りピッチごとに該順送プレス装置に設置された一対のパンチ部とダイス部で構成された順送プレス用金型で打ち抜かれたものであり、打ち抜かれた該リング状部品の断面形状の縦と横の公差が±０．０１ｍｍ以内であることを特徴とする。
【００１０】
上記の構成によれば、リング状部品の断面面積が０．１ｍｍ2以下のリング状部品を、順送プレス装置により、該リング状部品の断面形状の縦と横の公差が±０．０１ｍｍ以内で提供できることを見つけたものである。
【発明を実施するための最良の形態】
【００１１】
以下、本発明の実施形態を図面に基づいて説明する。
【実施例１】
【００１２】
本発明の順送プレスによるリング状部品の製造方法を図１、及び図２を用いて説明する。
図１（ａ）は、本発明の、長尺の板材２にリング状部品１を順送プレス装置により打ち抜く様子を示した平面図である。同図（ｂ）は、上記の同図（ａ）で用いた順送打ち抜き用金型のパンチ部１２の平面図を示すものである。
まず、リング状部品切り欠き用パンチ５-1により、該長尺の板材２を打ち抜くとリング状部品切り欠き開口部５ができる。このとき同時にパイロットホール用パンチ４-1によりリング状切り欠き用パイロットホール３があけられる。（ＰＨ・切り欠き抜き工程）
次に、該長尺の板材２が送りピッチP1分だけ左から右方向に送られ、該リング状切り欠き用パイロットホール３にリング状部品内径用ガイドピン４-2が勘合し、リング状部品内径用パンチ６-1により、該長尺の板材２を打ち抜くとリング状部品内径開口部６ができる。（内径抜き工程）
次に、該長尺の板材２が送りピッチP1分左から右方向に送られ、該リング状切り欠き用パイロットホール３にリング状部品外径用ガイドピン４-3が勘合し、リング状部品外径用パンチ７-1により該長尺の板材２を打ち抜くと、リング状部品外径部７が打ち抜かれ、本発明の該リング状部品１ができ、本発明の順送プレス装置によるリング状部品の製造方法では打ち抜かれた該リング状部品１はプッシュバック手段により該長尺の板材２に戻される。（プッシュバック・外径抜き工程、この工程は以下で詳述する。）
次に、該長尺の板材２が送りピッチP1分左から右方向に送られ、該リング状切り欠き用パイロトホール３にリング状部品外径用ガイドピン４-3が勘合し、製品ハズシ用パンチにより、長尺の板材に嵌め込まれた本発明のリング状部品をとりはずすと本発明のリング状部品１が完成する。（製品はずし工程）
【００１３】
上記工程のうち、本発明の特徴であるプッシュバック・外径抜き工程、製品はずし工程
について、図２に基づき、更に詳しく説明する。
図２のＡは、プッシュバック・外径抜き工程において、該リング状部品外径用パンチ７-1により、切り欠きと内径部のうち抜きがされている該長尺の板材２に該リング状部品外径部７を打ち抜く直前の状態を示したものである。該長尺の板材２はダイス部９にセットされており、該ダイス部９の該リング状部品外径用パンチ７-1と勘合するダイス開口部にはノックアウト１０が配置され、該ノックアウト１０は該ダイス開口部を上下にスライドするものであり、かつスプリング１１により該外径用パンチ７-1方向に向かって押し上げられている。このとき、該長尺の板材２の上面は図示しないストリッパープレートにより押さえられており、ダイス部９の上面に保持される。
図２のＢは、図２のＡの状態よりも該リング状部品外径用パンチ７-1が下がり、該リング状部品１の外径を打ち抜いて、該ダイス開口部９-1中に停止した状態を示したものである。この場合、打ち抜かれる時、該ノックアウト１０と該スプリング１１によるプッシュバック手段により、該リング状部品１は下から力が加わるので、リング状部品の断面が変形して歪むことを防ぐ働きをする。
図２のＣは、該リング状部品外径用パンチ７-1が図２のＢの停止した状態から図の如く上方に移動すると打ち抜かれた該リング状部品１は該ノックアウト１０と該スプリング１１によるプッシュバク手段により、該ダイス開口部９-1の上方にスライドし、該長尺の板材２に嵌め込まれ停止した状態を示したものである。同図において、該ノックアウト１０が丁度該ダイス部９の上面で停止するストッパー手段はノックアウト停止板１４により行っている。
【００１４】
上記の図２のＡ〜Ｃの状態が、図１のプッシュバック・外径抜き工程に相当するものであり、次に、該長尺の板材２が送りピッチP1分左から右方向に送られ、リング状切り欠き用パイロットホール３にリング状部品外径用ガイドピン４-3が勘合し、製品ハズシ用パンチ１３により、長尺の板材２に嵌め込まれた本発明のリング状部品１をとりはずす工程を示したものが図２のＤである。
【００１５】
上記のプッシュバック手段、ストッパー手段は一例であり、これに限定されるものではない。
【００１６】
上記の、プッシュバック手段によるリング状部品の断面の変形を防ぐ効果は、リング状部品の断面積が０．１ｍｍ2以下において顕著となり、打ち抜かれた該リング状部品の断面形状の縦と横の長さの公差が±０．０１ｍｍ以内に加工することができる。なお、上記の該リング状部品の内径、外径は上記の効果に関係するものではない。
【００１７】
本発明のリング状部品の平面形状は、図３（ａ）に示すような切り欠きのあるリング状部品１、同図（ｂ）に示すような切り欠きのないリング状部品１、同図（ｃ）に示すようなコの字型のリング状部品１が該当し、同図（ｄ）はそのほかの形状を示すものであり、切り欠きの角度θは１８０度以下であれば、本発明のリング状部品に該当する（同図（ｄ）ではリング状部品は簡略化して線で示されている。）。
また、断面形状は四角形であることが必須の要件である。
【００１８】
本発明の長尺の板材１の材質は、金属（ニッケル、鉄、チタン、モリブデン、各種合金）プラスチック（熱可塑性樹脂、熱硬化性樹脂、コンポジット樹脂）に適用できる。
【産業上の利用可能性】
【００１９】
本発明は前述の実施の形態に限定されるものではなく、断面面積が０．１ｍｍ2以下のリング状部品が寸法精度良く、順送プレス装置により製造できることは、品質の安定と低コストのリング状部品の提供が可能となり、このような部品は応用範囲は広い。
【図面の簡単な説明】
【００２０】
【図１】（ａ）は、本発明の、長尺の板材２にリング状部品１を順送プレス装置により打ち抜く様子を示したものである。（ｂ）は、上記の同図（ａ）で用いた順送打ち抜き用金型のパンチ部１２の平面図を示すものである。
【図２】は本発明のプッシュバック手段１１を有する金型で外径抜きをする様子を示した金型断面図である。
【図３】（ａ）は本発明の切り欠きのあるリング状部品１の平面図を示したものである。（ｂ）は本発明の切り欠きを有しないリング状部品１の平面図を示したものである。（ｃ）は本発明のコの字型のリング状部品の平面図１を示したものである。（ｄ）は本発明のそのほかのリング状部品１の平面図を示したものである。
【図４】（ａ）は、従来の、長尺の板材２にリング状部品１を順送プレス装置により打ち抜く様子を示した平面図である。（ｂ）は、上記の同図（ａ）で用いた順送打ち抜き用金型のパンチ部１２の平面図を示すものである。（ｃ）は、断面形状が変形のないリング状部品１の断面図を示す。（ｄ）は、断面形状が変形しているリング状部品１の断面図を示す。
【符号の説明】
【００２１】
１    リング状部品
１-  1  リング状部品外径部
１-  2  リング状部品内径部
１-  3  断面形状が変形してないリング状部品
１-4  断面形状が変形しているリング状部品
２    長尺の板材    
３    リング状部品切り欠き用パイロットホール
４-1  パイロットホール用パンチ
４-2  リング状部品内径用ガイドピン
４-3  リング状部品外径用ガイドピン
４-4  リング状部品はずし用ガイドピン
５    リング状部品切り欠き開口部
５-1  リング状部品切り欠き用パンチ
６    リング状部品内径開口部
６-1  リング状部品内径用パンチ
７    リング状部品外径
７-1  リング状部品外径用パンチ
８    リング状部品外径開口部
９    ダイス部
９-1  ダイス部開口部
１０  ノックアウト
１１  プッシュバック手段（スプリング）
１２  パンチ部
１３  製品はずし用パンチ
１４  ノックアウト停止板
Ｐ1   送りピッチ
θ    リング状部品の切り欠きの角度
Ａ    プッシュバック外径抜き工程の外径抜き直前の状態を示したもの
Ｂ    プッシュバック外径抜き工程の外径抜きをした状態を示したもの
Ｃ    プッシュバック外径抜き工程での外径抜き直前の状態を示したもの外径抜きされた製品がプッシュバックにより長尺の板材に戻された状態を示したもの
Ｄ    プッシュバック外径抜き工程の製品をはずす状態を示したもの
【図１】
2005297009.tif 000003
【図２】
2005297009.tif 000004
【図３】
2005297009.tif 000005
【図４】
2005297009.tif 000006